(57)【要約】      （修正有）【課題】不正に開けられないよう改ざん防止の効果が確実となり、また、正式に開くときにはワンタッチでその操作をなし得る改ざん防止機能付きパッケージを提供する。【解決手段】上面において前面壁５に連設される下蓋７と、後面壁に連設される上蓋９とを設け、下蓋７の基端に折れ線に沿った幅中央部に切起しによりスリット１５を設け、スリット１５の前端縁に切起しに伴って前面壁５の上端が突出する突起縁１８を具備してなり、上蓋９には、先端にスリット１５に差し込む逆止形の舌片１９を突設した。舌片１９には、両端の逆止片１７間に裏側に縦の凸条となる複数のリブ２３をプレス成形により配設し、スリット１５への舌片１９の差込みによりその両端逆止片１７とともにリブ２３がスリット１５に掛かって上蓋９開き不能にロックが掛かる。該ロック解除可能のために前面壁５の上端部を切り離し得るよう、前面壁５の上端両隅角の間に逆山形の切取範囲２５となる切取り線２７を形成した。【選択図】図１
0003199942.tif 000002
【実用新案登録請求の範囲】
【請求項１】
上面において前面壁に連設される下蓋と、後面壁に連設される上蓋とを設け、下蓋の基端に折れ線に沿った幅中央部に切起しによりスリットを設け、スリットの前端縁に切起しに伴って前面壁の上端が突出する突起縁を具備してなり、上蓋には先端に該スリットに差し込む逆止形の舌片を突設した改ざん防止機能付きパッケージにおいて、舌片には、両端の逆止片間に裏側に縦の凸条となる複数のリブをプレス成形により配設し、前記スリットへの舌片の差込みによりその両端逆止片とともにリブがスリットに掛かって上蓋開き不能にロックが掛かっており、該ロック解除可能に前面壁の上端部を切り離し得るよう、前面壁の上端両隅角の間に逆山形の切取範囲となる切取り線を形成したことを特徴とする改ざん防止機能付きパッケージ。
【請求項２】
舌片の左右両端に折れ線を介することにより前記逆止片が突設され、両折れ線を間が先端に開く傾斜に形成してあることを特徴とする請求項１記載の改ざん防止機能付きパッケージ。
【請求項３】
前面壁に設ける前記切取範囲が逆山形であるとともにその下端部が広く湾曲した指当部となるよう切取り線が形成してあることを特徴とする請求項１又は２記載の改ざん防止機能付きパッケージ。
【考案の詳細な説明】
【技術分野】
【０００１】
この考案は、流通過程において、一旦開封してひそかに内容物がすり変えられる不正がないよう、それを防止する改ざん防止機能付きパッケージに関する。
【背景技術】
【０００２】
従来、改ざん防止機能付きパッケージとしては、不正に蓋が開けられないよう閉じにロックされる蓋閉じ構造と、ユーザーが正式に開けるためにロック解除にする切取り線を設けたものがあった。これを図９に示すと、前面壁の上端に下蓋５１を、後面壁の上端に上蓋５３を連設した紙箱において、下蓋５１の前端縁の幅中央部にスリット５５を切起しにより形成して前面壁５７の延長となる突起縁５９を有し、上蓋５３の前端にはスリット５５へ差し込む逆止形の舌片６１が突設される。
【０００３】
この舌片６１の差込みにより上蓋５３が閉じに保持され、スリット５５の両端に逆止爪６３，６３が掛かることで、上蓋５３が開かなくなるロック装置が構成されている。また、蓋止ロックを解除するために、突起縁５９の下方にこれを摘みとしてスリット５５を裂き開く切取り線６５、６５が形成される。なお、切取り６６は上蓋５３に設けることもあった。
【考案の概要】
【考案が解決しようとする課題】
【０００４】
上記のような従来の改ざん防止機能付きパッケージによれば、上蓋５３の先端舌片６１がスリット５５に差し込まれると、舌片６１が差込み方向に対してたわむために差込みが困難になることがあり、また、逆止爪６３，６３の係りが甘いために、舌片６１が抜けやすくなるという問題があった。
【０００５】
この考案は、上記のような実情に鑑みて、スリットから舌片が容易に抜けないために、不正に開けられないよう改ざん防止の効果が確実となり、また、正式に開くときにはワンタッチでその操作をなし得る改ざん防止機能付きパッケージを提供することを課題とした。
【課題を解決するための手段】
【０００６】
上記の課題を解決するために、上面において前面壁に連設される下蓋と、後面壁に連設される上蓋とを設け、下蓋の基端に折れ線に沿った幅中央部に切起しによりスリットを設け、スリットの前端縁に切起しに伴って前面壁の上端が突出する突起縁を具備してなり、上蓋には先端に該スリットに差し込む逆止形の舌片を突設した改ざん防止機能付きパッケージにおいて、舌片には、両端の逆止片間に裏側に縦の凸条となる複数のリブをプレス成形により配設し、前記スリットへの舌片の差込みによりその両端逆止片とともにリブがスリットに掛かって上蓋開き不能にロックが掛かっており、該ロック解除可能に前面壁の上端部を切り離し得るよう、前面壁の上端両隅角の間に逆山形の切取範囲となる切取り線を形成したことを特徴とする改ざん防止機能付きパッケージを提供する。
【０００７】
改ざん防止機能付きパッケージを上記のように構成したから、商品を包装するときには、上蓋の先端の舌片をスリットに差し込むことにより、その両側の逆止片とその間のリブをスリットに係止し、上蓋がひらかないロック状態とすることができる。また、開くときには、前面壁の上端部の切取範囲を指押しして突き破ることにより上端部を分離すれば、切取範囲がスリットで上蓋の舌片に結合しているので、上蓋とともに分離部分が持ち上がって、上端部が商品を取り出しやすく広く開放する(図７参照)。
【考案の効果】
【０００８】
以上説明したように、この考案の改ざん防止機能付きパッケージによれば、リブがあるため舌片をスリットに支障なく深く差し込みができ、逆止片の掛りも良く蓋閉じを容易になし得て、包装の作業性が良好であり、また、容易に開かないロック状態が保持されるため、流通過程においては改ざん防止効果が確実に図られる。しかも、ユーザーにおいて正式に開くときには、一部を指で突き破るワンタッチ操作でロック状態を解除し、商品を取り出しやすく広く開封できるという優れた効果がある。
【図面の簡単な説明】
【０００９】
【図１】この考案の改ざん防止機能付きパッケージを上蓋開きで示す斜視図である。
【図２】上蓋の前端に突設される舌片を示す平面図である。
【図３】図３のA−A線矢視の断面図である。
【図４】同改ざん防止機能付きパッケージを蓋閉じロック状態で示す斜視図である。
【図５】蓋閉じ要領を示す改ざん防止機能付きパッケージの上端部断面図である。
【図６】蓋閉じロック状態を(ロック解除要領とともに)示す上端部断面図である。
【図７】開封状態を示す上端部断面図である。
【図８】改ざん防止機能付きパッケージの展開図である。
【図９】従来例の斜視説明図である。
【考案を実施するための形態】
【００１０】
この考案は、流通過程において商品を取り変える不正行為が行われないようにすることを目的としており、包装商品としては、例えば、瓶詰化粧品、瓶詰薬剤、アンプル薬剤等が挙げられる。
【実施例】
【００１１】
図１ないし図８は、実施例を示したもので、その改ざん防止機能付きパッケージＰは、紙容器(パッケージ)であって、剛性を有する紙にプレス成形を施すことにより展開型Ｐaが全面成形され、左右側壁１，１の上端に半フラップ３，３が対向して突設され、前後面壁５，６の上端には下蓋７と上蓋９とが突設され、下蓋７の先端に後面壁６に沿って差し込む後部折込片１１が突設される。
【００１２】
下蓋７には前端折れ線１３に沿ってスリット１５が切り起こしにより形成される。切起こしにより前面壁５の延長に起立して突起縁１８が形成される。
【００１３】
上蓋９には、前端にスリット１５に差し込む舌片１９が突設され、両端にスリット１５の両端に係る逆止片１７，１７が形成されることにより、舌片１９が抜けがたい逆止形となっている。また、両端の逆止片１７，１７は１対の折れ線２１，２１を介して突設され舌片１９が幅狭く折れるように構成され、両折れ線２１，２１を先端に幅広く傾斜させて逆止片１７、１７を基端にやや幅広く形成してある。また、両折れ線２１，２１の間に前後方向のリブ２３，２３，２３が形成され、リブ２３は、前面に凹となる対応において裏面に凸となるようプレス形成される。
【００１４】
前面壁５には、スリット１５の長さを超える巾の切取範囲２５となるよう切取線２７が形成される。具体的には、逆山形ないし逆台形の形状であって、下端部に丸く湾曲した線で破りやすい指当り２６が形成される。
【００１５】
蓋を閉じるには、下蓋７の上に上蓋９を被せながらその先端の舌片１９をスリット１５に差し込む(図４、図５)。そうすると、リブ２３の強度で曲がることなく直に差し込まれ、そのとき、左右の逆止片１７，１７が一旦折れることにより差し込みが許容され、深く差し込まれて逆止片１７やリブ２３がスリット１５に係止する（図６）。これで深い掛かりが保持されるため、痕跡を残すことなく蓋９が開かれるおそれは決して無く、安心して流通過程に置くことができる。
【００１６】
ユーザーにおいては、切取範囲２５の指当り２６を押し破って範囲全体を切取るが(図６)、スリット１５が保存されているので、それとの結合により上蓋９の開きに付随して切取範囲２５が持ち上がるために、上端が商品を出しやすく前３０にも広い開放状態となる(図７)。
【符号の説明】
【００１７】
P  改ざん防止機能付きパッケージ
５  前面壁
６  後面壁
７  下蓋
９  上蓋
１３  折れ線
１５  スリット
１７  逆止片
１８  突起縁
１９  舌片
２１  折れ線
２３  リブ
２５  切取範囲
２６  指当り
【図１】
0003199942.tif 000003
【図２】
0003199942.tif 000004
【図３】
0003199942.tif 000005
【図４】
0003199942.tif 000006
【図５】
0003199942.tif 000007
【図６】
0003199942.tif 000008
【図７】
0003199942.tif 000009
【図８】
0003199942.tif 000010
【図９】
0003199942.tif 000011